(57)【特許請求の範囲】
【請求項１】
複数の周波数を用いて自局のセルエリア内の端末を収容可能な基地局と、
隣接する複数の前記基地局によって形成される群エリア内の基地局に対して、隣接する群エリアで使用される周波数とは異なる周波数であって、同一周波数による下りリンク送信を制御する群ゲートウェイと、
を備え、
隣接する複数の基地局が群エリアを形成し、隣接する複数の群エリアによって形成されるセルラネットワークで、複数の群ゲートウェイがそれぞれ異なる群エリア内の基地局を制御するときに、
前記基地局は、
異なる群エリアの基地局と隣接する場合には、前記複数の周波数から、隣接する基地局とは異なる周波数を用いて自局のセルエリアを形成し、同一群エリア内にあって異なる群エリアの基地局と隣接する他の基地局とは異なる周波数を用いることができ、各群エリアで基地局の配置が共通のときは他の群エリアで同一の配置位置に相当する基地局と同一の周波数を使用し、一方、異なる群エリアの基地局と隣接しない場合には、前記複数の周波数を用いて自局のセルエリアを形成し、形成したセルエリア内で端末を収容する小型基地局モードで動作し、
さらに、前記群ゲートウェイの制御に基づいて、自局が属する群エリア内の他の基地局とともに、前記小型基地局モードで使用可能な複数の周波数とは異なる周波数であって、隣接する群エリアの基地局とは異なる周波数を用いて同一の下りリンク送信を行うマクロ基地局モードで動作する、
ことを特徴とする無線通信システム。
【請求項２】
前記基地局は、
前記小型基地局モードで動作する場合、群エリア内の他の基地局と独立してスケジューリングを行う、
ことを特徴とする請求項１に記載の無線通信システム。
【請求項３】
前記基地局は、
異なる群エリアの基地局と隣接しない場合、さらに、自局を含む群エリアに隣接する群エリアの基地局が前記マクロ基地局モードで使用する周波数を用いる、
ことを特徴とする請求項１または２に記載の無線通信システム。
【請求項４】
前記群ゲートウェイは、
前記基地局が前記マクロ基地局モードで動作する場合、他の群ゲートウェイと独立してスケジューリングを行う、
ことを特徴とする請求項１，２または３に記載の無線通信システム。
【請求項５】
前記群ゲートウェイは、
前記基地局が前記マクロ基地局モードで動作する場合、端末を収容している基地局、および当該基地局と隣接する基地局のみが下りリンク送信を行うように制御する、
ことを特徴とする請求項１〜４のいずれか１つに記載の無線通信システム。
【請求項６】
前記基地局は、
前記小型基地局モードで動作する場合、自局を制御する群ゲートウェイの制御に基づいて、自局を含む群エリア内の他の基地局とともに協調動作を行う、
ことを特徴とする請求項１〜５のいずれか１つに記載の無線通信システム。
【請求項７】
前記基地局は、
前記マクロ基地局モードで動作する場合、自局を制御する群ゲートウェイの制御に基づいて、自局を含む群エリア内の他の基地局とともに巡回遅延ダイバーシチによる送信を行う、
ことを特徴とする請求項１〜６のいずれか１つに記載の無線通信システム。
【請求項８】
群ゲートウェイとともに無線通信システムを構成する基地局であって、
前記群ゲートウェイが、隣接する複数の前記基地局によって形成される群エリア内の基地局に対して、隣接する群エリアで使用される周波数とは異なる周波数であって、同一周波数による下りリンク送信を制御し、
隣接する複数の群エリアによって形成されるセルラネットワークで、複数の群ゲートウェイがそれぞれ異なる群エリア内の基地局を制御する無線通信システムにおいて、
複数の周波数を用いて自局のセルエリア内の端末を収容し、隣接する複数の基地局と群エリアを形成し、
異なる群エリアの基地局と隣接する場合には、前記複数の周波数から、隣接する基地局とは異なる周波数を用いて自局のセルエリアを形成し、同一群エリア内にあって異なる群エリアの基地局と隣接する他の基地局とは異なる周波数を用いることができ、各群エリアで基地局の配置が共通のときは他の群エリアで同一の配置位置に相当する基地局と同一の周波数を使用し、一方、異なる群エリアの基地局と隣接しない場合には、前記複数の周波数を用いて自局のセルエリアを形成し、形成したセルエリア内で端末を収容する小型基地局モードで動作し、
さらに、前記群ゲートウェイの制御に基づいて、自局が属する群エリア内の他の基地局とともに、前記小型基地局モードで使用可能な複数の周波数とは異なる周波数であって、隣接する群エリアの基地局とは異なる周波数を用いて同一の下りリンク送信を行うマクロ基地局モードで動作する、
ことを特徴とする基地局。
【請求項９】
前記小型基地局モードで動作する場合、群エリア内の他の基地局と独立してスケジューリングを行う、
ことを特徴とする請求項８に記載の基地局。
【請求項１０】
異なる群エリアの基地局と隣接しない場合、さらに、自局を含む群エリアに隣接する群エリアの基地局が前記マクロ基地局モードで使用する周波数を用いる、
ことを特徴とする請求項８または９に記載の基地局。
【請求項１１】
前記小型基地局モードで動作する場合、自局を制御する群ゲートウェイの制御に基づいて、自局を含む群エリア内の他の基地局とともに協調動作を行う、
ことを特徴とする請求項８，９または１０に記載の基地局。
【請求項１２】
前記マクロ基地局モードで動作する場合、自局を制御する群ゲートウェイの制御に基づいて、自局を含む群エリア内の他の基地局とともに巡回遅延ダイバーシチによる送信を行う、
ことを特徴とする請求項８〜１１のいずれか１つに記載の基地局。
【請求項１３】
基地局とともに無線通信システムを構成する群ゲートウェイであって、
前記基地局が、複数の周波数を用いて自局のセルエリア内の端末を収容し、隣接する複数の基地局が群エリアを形成し、異なる群エリアの基地局と隣接する場合には、前記複数の周波数から、隣接する基地局とは異なる周波数を用いて自局のセルエリアを形成し、同一群エリア内にあって異なる群エリアの基地局と隣接する他の基地局とは異なる周波数を用いることができ、各群エリアで基地局の配置が共通のときは他の群エリアで同一の配置位置に相当する基地局と同一の周波数を使用し、一方、異なる群エリアの基地局と隣接しない場合には、前記複数の周波数を用いて自局のセルエリアを形成し、形成したセルエリア内で端末を収容する小型基地局モードで動作し、さらに、前記群ゲートウェイの制御に基づいて、自局が属する群エリア内の他の基地局とともに、前記小型基地局モードで使用可能な複数の周波数とは異なる周波数であって、隣接する群エリアの基地局とは異なる周波数を用いて同一の下りリンク送信を行うマクロ基地局モードで動作し、
隣接する複数の群エリアによって形成されるセルラネットワークで、複数の群ゲートウェイが、それぞれ異なる群エリア内の基地局を制御する無線通信システムにおいて、
隣接する複数の前記基地局によって形成される群エリア内の基地局に対して、隣接する群エリアで使用される周波数とは異なる周波数であって、同一周波数による下りリンク送信を制御する群ゲートウェイ。
【請求項１４】
前記基地局が、異なる群エリアの基地局と隣接する場合には、前記複数の周波数から、隣接する基地局とは異なる周波数を用いて自局のセルエリアを形成し、一方、異なる群エリアの基地局と隣接しない場合には、前記複数の周波数を用いて自局のセルエリアを形成し、形成したセルエリア内で端末を収容する小型基地局モードで動作し、さらに、自局が属する群エリア内の他の基地局とともに、前記小型基地局モードで使用可能な複数の周波数とは異なる周波数であって、隣接する群エリアの基地局とは異なる周波数を用いて同一の下りリンク送信を行うマクロ基地局モードで動作する場合において、
前記基地局が前記マクロ基地局モードで動作する場合、他の群ゲートウェイと独立してスケジューリングを行う、
ことを特徴とする請求項１３に記載の群ゲートウェイ。
【請求項１５】
前記基地局が、異なる群エリアの基地局と隣接する場合には、前記複数の周波数から、隣接する基地局とは異なる周波数を用いて自局のセルエリアを形成し、一方、異なる群エリアの基地局と隣接しない場合には、前記複数の周波数を用いて自局のセルエリアを形成し、形成したセルエリア内で端末を収容する小型基地局モードで動作し、さらに、自局が属する群エリア内の他の基地局とともに、前記小型基地局モードで使用可能な複数の周波数とは異なる周波数であって、隣接する群エリアの基地局とは異なる周波数を用いて同一の下りリンク送信を行うマクロ基地局モードで動作する場合において、
前記基地局が前記マクロ基地局モードで動作する場合、端末を収容している基地局、および当該基地局と隣接する基地局のみが下りリンク送信を行うように制御する、
ことを特徴とする請求項１３または１４に記載の群ゲートウェイ。
【発明の詳細な説明】
【技術分野】
【０００１】
本発明は、複数の基地局でセルラネットワークを構成する無線通信システムに関する。
【背景技術】
【０００２】
従来、ＳＦＮ（Single  Frequency  Network）構成のセルラシステムにおいて、他セル間干渉を回避する方法の１つに、ＦＦＲ（Fractional  Frequency  Reuse）がある。ＦＦＲにもいくつかタイプがあり、例えば、各セルの内側部分では帯域の全ての周波数を使用し、セルの外縁部では使用する周波数帯域を絞り、隣接するセルとは使用する周波数が重ならないように配置する方法がある。このように、外縁部で使用する周波数を分割して配置することにより、セル間の干渉を抑制することができる。
【０００３】
しかしながら、上記方法では、全ての周波数リソースを使用できるエリアは非常に狭く、必ずしも効率的に周波数リソースを使用することができないという問題があった。また、端末同士の位置関係によっては、隣接するセルの外縁部同士で干渉するケースも依然として残っており、他セルの干渉も考慮したリソース割当が必要であり、制御が複雑になってしまうという問題があった。
【０００４】
全ての周波数を利用できるセルの内側の領域を拡大する方法として、下記特許文献１では、セルの内側と外縁部とで通信する時間帯を分ける技術が開示されている。例えば、セルの内側の端末とはフレーム期間の前半でのみ通信を行い、セルの外縁部の端末とはフレーム期間の後半でのみ通信を行うように構成する。このように時間を分割することによって、あるセルの内側と隣接するセルの外縁部との干渉を抑制することができ、全ての周波数を利用できるエリアを拡げることができる。
【先行技術文献】
【特許文献】
【０００５】
【特許文献１】特表２００８−５３０９１８号公報
【発明の概要】
【発明が解決しようとする課題】
【０００６】
しかしながら、上記従来の技術によれば、全ての周波数を利用できるセルの内側の通信時間を短縮することとなり、周波数利用効率を高くできず低下させてしまう、という問題があった。
【０００７】
また、外縁部同士の干渉についても解消されず、他セルからの干渉を考慮したリソース割当を行う必要があるため、制御が複雑になってしまう、という問題があった。
【０００８】
本発明は、上記に鑑みてなされたものであって、周波数リソースの高効率化を図るとともに、各基地局での制御を容易にすることが可能な無線通信システムを得ることを目的とする。
【課題を解決するための手段】
【０００９】
上述した課題を解決し、目的を達成するために、本発明は、複数の周波数を用いて自局のセルエリア内の端末を収容可能な基地局と、隣接する複数の前記基地局によって形成される群エリア内の基地局に対して、隣接する群エリアで使用される周波数とは異なる周波数であって、同一周波数による下りリンク送信を制御する群ゲートウェイと、を備え、隣接する複数の基地局が群エリアを形成し、隣接する複数の群エリアによって形成されるセルラネットワークで、複数の群ゲートウェイがそれぞれ異なる群エリア内の基地局を制御することを特徴とする。
【発明の効果】
【００１０】
本発明によれば、周波数リソースを効率的に使用でき、かつ、各基地局での制御を容易にできる、という効果を奏する。
【図面の簡単な説明】
【００１１】
【図１】図１は、従来からの無線通信システムのセルエリアの構成例を示す図である。
【図２】図２は、従来からの無線通信システムのシステム帯域を示す図である。
【図３】図３は、実施の形態１の無線通信システムのセルエリア（小型基地局モード）の構成例を示す図である。
【図４】図４は、実施の形態１の無線通信システムのシステム帯域（小型基地局モード）を示す図である。
【図５】図５は、実施の形態１の無線通信システムのセルエリア（マクロ基地局モード）の構成例を示す図である。
【図６】図６は、実施の形態１の無線通信システムのシステム帯域（マクロ基地局モード）を示す図である。
【図７】図７は、実施の形態１の無線通信システムの構成例を示す図である。
【図８】図８は、基地局が協調動作を行う場合の構成例を示す図である。
【図９】図９は、巡回遅延ダイバーシチ送信を行う基地局の送信例を示す図である。
【発明を実施するための形態】
【００１２】
以下に、本発明にかかる無線通信システムの実施の形態を図面に基づいて詳細に説明する。なお、この実施の形態によりこの発明が限定されるものではない。
【００１３】
実施の形態１．
まず、従来からのＦＦＲ（Fractional  Frequency  Reuse）を使用した無線通信システムについて簡単に説明する。図１は、従来からのＦＦＲを使用した無線通信システムにおけるセルエリアの構成例を示す図である。各マクロ基地局は、六角形のセルを形成している。また、図２は、従来からの無線通信システムで使用されるシステム帯域の構成例を示す図である。ここでは、ｆ１＜ｆ２＜ｆ３とする。
【００１４】
ＦＦＲの一例として、図１に示すように、各セルの内側部分では帯域の全ての周波数（ｆ１、ｆ２、ｆ３）を使用し、セルの外縁部では使用する周波数帯域を絞り（ｆ１、またはｆ２、またはｆ３のうちの１つを使用）、隣接するセルとは使用する周波数が重ならないように配置するものがある。このように、外縁部で使用する周波数を分割して配置することにより、セル間の干渉を抑制することができる。
【００１５】
しかしながら、現実的には、全ての周波数リソースを使用できるエリア（図１の円の部分）は非常に狭く、必ずしも効率的に周波数リソースを使用することができない。また、端末同士の位置関係によっては、図１のＡの部分のように隣接するセルの外縁部同士で干渉するケースがあるため、他セルの干渉も考慮したリソース割当が必要であり、制御が複雑になってしまう。
【００１６】
つぎに、本実施の形態の無線通信システムについて説明する。図３は、本実施の形態の無線通信システムにおけるセルエリアの構成例を示す図である。無線通信システムは、複数の小型基地局１０１と、群ゲートウェイ１２１〜１２３と、から構成される。ここで使用する小型基地局１０１は、図１に示すマクロ基地局よりも送信電力が小さく、セルエリアの狭い小型の基地局である。なお、図１に示す従来からのマクロ基地局との違いを明確にするため小型基地局としたが、以降の説明においては、単に基地局とする。
【００１７】
各基地局１０１は、セルエリア１０２の通信範囲をカバーし、端末を収容する。なお、図３では、代表して１つの基地局１０１およびセルエリア１０２のみ符号を付しているが、図３中に示す５７個の六角形（セルエリア１０２）の中心には全て基地局１０１が配置され、それぞれの基地局１０１がセルエリア１０２を形成する。
【００１８】
群ゲートウェイ１２１〜１２３は、それぞれ複数の基地局１０１を束ねて制御するゲートウェイである。ここでは、各群ゲートウェイ１２１〜１２３は、それぞれ１９個の基地局１０１を制御する。群エリア１１１〜１１３は、各群ゲートウェイ１２１〜１２３がそれぞれ制御する基地局１０１によって形成されるエリアを示す。各群エリア１１１〜１１３の大きさは、セルエリア１０２の１９個分に等しい。なお、図３では煩雑になるのを避けるため、各群ゲートウェイ１２１〜１２３が群内の基地局１０１の一部としか接続されていないが、実際には群内の全ての基地局１０１と有線で接続されていることとする。すなわち、各群ゲートウェイ１２１〜１２３は、それぞれ１９個の基地局１０１と接続している。
【００１９】
図３は、個々の基地局１０１が異なる下りリンクの送信を行う動作モード（以後、小型基地局モードとする）で動作している場合の周波数の割り当ての様子を示したものであり、群エリアの内縁部（図３では白抜きで表示した７個のセルエリア１０２）と、外縁部（内縁部の周囲の１２個のセルエリア１０２）とで、システム帯域中の使用する周波数範囲を変えている。
【００２０】
図４は、本実施の形態の無線通信システムにおいて小型基地局モードで使用されるシステム帯域の構成例を示す図である。図２と同様、ｆ１＜ｆ２＜ｆ３とする。図３の外縁部の１２個のセルエリア１０２を形成する各基地局１０１では、４つずつ隣接する群エリアの外縁部と同じにならないように、ｆ１、ｆ２、ｆ３のいずれか１つを使用する周波数として割り当てる。一方、図３の内縁部の７個のセルエリア１０２を形成する各基地局１０１では、ｆ１とｆ２とｆ３の全ての周波数を使用するように割り当てを行う。各基地局１０１が使用する周波数については、群エリアの設計段階で設定することとする。
【００２１】
つぎに、各群エリア内で同一の下りリンク送信を行う場合について説明する。図５は、本実施の形態の無線通信システムにおけるセルエリアの構成例を示す図である。詳細には、群エリア内で同一の下りリンクの送信を行う動作モード（以後、マクロ基地局モードとする）で動作している場合の周波数の割り当ての様子を示すものである。図５において、図３と同一の構成については同一の符合を付す。
【００２２】
図６は、実施の形態１の無線通信システムにおいてマクロ基地局モードで使用されるシステム帯域を示す図である。ここでは、ｆ４＜ｆ５＜ｆ６とし、いずれもｆ１〜ｆ３とは異なる周波数である。各群エリア内の基地局１０１は、隣接する群エリアの基地局１０１とは異なるｆ４、ｆ５、ｆ６のいずれかの周波数を使用し、同じ群エリア内では、基地局１０１は全て同じ周波数を使用する。小型基地局モードと同様に、各基地局１０１が使用する周波数については、群エリアの設計段階で設定することとする。
【００２３】
図３に示す小型基地局モードと図５に示すマクロ基地局モードは、同じ群エリアで同時に存在しており、特定の基地局１０１に着目すれば、ある周波数では小型基地局モードで動作しており、また、ある周波数ではマクロ基地局モードで動作している。
【００２４】
つぎに、基地局におけるスケジューリング動作について説明する。まず、小型基地局モードで動作する場合、従来と同様に、基本的に個々の基地局１０１が独立してスケジューリングを行う。しかしながら、これに限定するものではなく、例えば、同じ群内の隣接するセルエリアにおいて干渉が生じる場合は、割り当てられた周波数帯域の中でさらに使用する周波数を分割して干渉回避を行うなど、群内の干渉回避の調停を群ゲートウェイが行うように構成してもよい。
【００２５】
一方、マクロ基地局モードで動作する場合、群内のスケジューリングは群ゲートウェイが一括して行う。そのため、群内の基地局１０１は、全て同じスケジューリング情報に基づいて共通の下りリンクの送信を行う。従って、マクロ基地局モードの周波数で動作している端末にとっては、マクロ基地局が存在するのと同等な環境で動作することになる。
【００２６】
ここで、無線通信システムを構成する基地局および群ゲートウェイの構成について説明する。図７は、無線通信システムの構成例を示す図である。ここでは、１つの群ゲートウェイ１２１に１つの基地局１０１のみが接続しているが、実際には、図３、図５に示すように１つの群ゲートウェイ１２１には複数の基地局１０１が接続している。
【００２７】
基地局１０１は、有線通信部１０１１と、基地局制御部１０１２と、無線通信部１０１３と、を備える。有線通信部１０１１は、群ゲートウェイ１２１との間で有線通信を行う。基地局制御部１０１２は、端末からの接続要求や群ゲートウェイ１２１からの制御に基づいて、上記で説明したスケジューリング等を行う。無線通信部１０１３は、収容する端末や他の基地局との間で無線通信を行う。
【００２８】
群ゲートウェイ基地局１２１は、有線通信部１２１１と、ゲートウェイ制御部１２１２と、を備える。有線通信部１２１１は、基地局１０１との間で有線通信を行う。ゲートウェイ制御部１２１２は、群エリア１１１内の基地局１０１のスケジューリング等の制御を行う。スケジューリングの内容については、前述のとおりである。なお、群ゲートウェイ１２１について説明したが、他の群ゲートウェイ１２２、１２３も同様の構成を備える。
【００２９】
以上説明したように、本実施の形態では、無線通信システムは、マクロ基地局に比べて送信電力の小さな小型基地局を複数束ねて群エリアを形成し、かつ、隣接する群エリアとは干渉が発生しないような周波数配置をとるように構成することとした。これにより、各基地局では、スケジューリングやリソース割り当ての際に、隣接する群エリアのスケジューリング情報や割り当て状況を考慮する必要がないため、群エリア内に閉じてスケジューリングを行うことが可能となり、制御が容易になる。また、複数の周波数を使用できることから、周波数リソースを効率的に使用することができる。
【００３０】
なお、群エリア内の隣接するセル間同士の干渉については、依然考慮してリソース割り当てやスケジューリングを行う必要がある。しかし、群エリア間については、群ゲートウェイが独立してスケジューリングやリソース割り当てを行うことができるため、制御を分散化して処理負荷を軽減することができるとともに、使用リソースの最適化を図ることが容易となる。
【００３１】
また、無線通信システムでは、小型基地局モードに加えて、マクロ基地局モードを組み合わせるように構成した。これにより、例えば、基本は小型基地局モードの周波数を使用し、高速移動端末に対してはマクロ基地局モードの周波数を割り当てるようにすることにより、高速移動端末で頻繁にハンドオーバが発生するのを防ぐことができ、小型基地局でエリア展開した場合でも、高速移動端末に対応することが可能となる。
【００３２】
さらに、小型基地局の小さなエリアを敷き詰めて群エリアを形成しているため、事物に応じて自由度の高い群エリアを形成することが可能になる、という効果もある。
【００３３】
なお、周波数割り当てについて、小型基地局モードの内縁部には、自群エリア以外のマクロ基地局モードで使用する周波数を割り当ててもよい。例えば、図５においてｆ４の周波数を使用している群エリア１１１の内縁部の基地局１０１は、さらに、ｆ５、ｆ６の周波数を使用することができる。この場合、群エリア１１１の内縁部の基地局１０１は、周波数ｆ１、ｆ２、ｆ３、ｆ４を使用する場合と比べて、より多くの周波数ｆ１、ｆ２、ｆ３、ｆ４、ｆ５、ｆ６を使用できることから、さらに周波数利用効率をあげる効果がある。
【００３４】
また、小型基地局モードとマクロ基地局モードの周波数の配分は等間隔である必要はなく、システム要求に応じた割合で柔軟に決定すればよい。
【００３５】
また、マクロ基地局モードでは必ずしも群エリア内の全ての基地局が送信する必要はなく、端末の周辺にいる基地局、例えば、端末を収容している基地局および当該基地局に隣接している基地局のみが送信するように構成してもよい。この場合、消費電力を削減することができるとともに、マクロ基地局モードで送信を行わない基地局に対しては、マクロ基地局モードの周波数を小型基地局モードの周波数に割り当てることにより、周波数利用効率を上げる効果がある。
【００３６】
実施の形態２．
本実施の形態では、協調動作を行う場合について説明する。実施の形態１と異なる部分について説明する。
【００３７】
図８は、小型基地局モードにおいて、群ゲートウェイを介して基地局がＣｏＭＰ（Coordinated  Multiple-Point  transmission  and  reception）などの協調動作を行う場合の構成例を示す図である。
【００３８】
基地局１０１、２０１は、それぞれ同じ群エリア内の基地局である。基地局２０１は、基地局１０１と同様の構成を備える。セルエリア１０２、２０２は、それぞれ基地局１０１、２０１が展開するセルエリアである。群ゲートウェイ１２１は、基地局１０１、２０１を含む群エリア内の基地局をまとめて制御する群ゲートウェイである。端末３００は、セルエリア１０２、２０２の境界付近にある端末である。
【００３９】
例えば、ＣｏＭＰの１つの例として、基地局１０１、２０１が、群ゲートウェイ１２１の制御によって協調して複数セル同時送信を行うことにより、端末３００のスループットを向上させることができる。また、別のＣｏＭＰのあり方として、協調スケジューリング、協調ビームフォーミング、複数セル同時受信を行うように構成してもよい。具体的な協調動作の内容については、従来同様のものである。
【００４０】
以上説明したように、本実施の形態では、小型基地局モードにおいて、群ゲートウェイが群エリア内の複数の基地局を制御して、協調動作を行うこととした。これにより、セル端にいる端末のスループットを改善することができる。また、このような場合でも、群エリア間の周波数配置を図３に示すように適切に配置しているため、隣接する群エリアの影響は考慮せずに基地局同士の協調動作を実現することが可能となる。
【００４１】
実施の形態３．
本実施の形態では、巡回遅延ダイバーシチを行う場合について説明する。実施の形態１、２と異なる部分について説明する。
【００４２】
図９は、マクロ基地局動作モードにおいて、ＣＤＤ（Cyclic  Delay  Diversity；巡回遅延ダイバーシチ）送信を行う場合の基地局の送信例を示す図である。
【００４３】
基地局１０１、２０１は、同じ群エリアに属する基地局である。アンテナ１５１、１５２は、基地局１０１が備えるアンテナである。アンテナ２５１、２５２は、基地局２０１が備えるアンテナである。なお、ここでは、各基地局が２つのアンテナを備える場合について説明するが、これに限定するものではなく、さらに多くのアンテナを備える場合について適用可能である。
【００４４】
基地局１０１、２０１は、群ゲートウェイの制御により、それぞれ送信出力について、２つのアンテナのうち、一方については同じタイミングで送信を行い（図９中の（１）、（３））、他方については、信号をシンボル毎に巡回遅延させて送信を行う（図９中の（２）、（４））。このように送信を行うことによって、従来同様に、ダイバーシチ利得を得ることができる。
【００４５】
以上説明したように、本実施の形態では、群ゲートウェイの制御により、基地局が、送信アンテナ毎に送信信号のタイミング差を付けて送信できることとした。これにより、仮想的な周波数選択性通信路を形成し、群エリアにおいて、局所的な信号の落ち込みが継続的に発生するのを抑制する効果がある。
【産業上の利用可能性】
【００４６】
以上のように、本発明にかかる無線通信システムは、セルラシステムに有用であり、特に、ＦＦＲを使用したセルラシステムに適している。
【符号の説明】
【００４７】
１０１、２０１  小型基地局（基地局）
１０２、２０２  セルエリア
１１１、１１２、１１３  群エリア
１２１、１２２、１２３  群ゲートウェイ
１５１、１５２、２５１、２５２  アンテナ
３００  端末
１０１１  有線通信部
１０１２  基地局制御部
１０１３  無線通信部
１２１１  有線通信部
１２１２  ゲートウェイ制御部
【図１】
0005496035.tif 000002
【図２】
0005496035.tif 000003
【図３】
0005496035.tif 000004
【図４】
0005496035.tif 000005
【図５】
0005496035.tif 000006
【図６】
0005496035.tif 000007
【図７】
0005496035.tif 000008
【図８】
0005496035.tif 000009
【図９】
0005496035.tif 000010